(57)【要約】【課題】材料替え時に再度の切出しが不要になり、貼付け時間の短縮および貼付け精度の向上を図ることができるフィルムシート貼付け装置およびフィルムシート回収方法を提供する。【解決手段】カレンダーロールから貼付フィルムシートと回収フィルムシートとを切出す切出し手段と、各フィルムシートを分離ローラーまで搬送するフィルムシート搬送手段と、分離ローラーを通過した貼付フィルムシートを貼付ける貼付け手段と、分離ローラーを通過した回収フィルムシートを回収する回収手段とを備えており、分離ローラーまでの搬送距離が貼付フィルムシートよりも回収フィルムシートが長くなるように設定されており、さらに、ゴム材料の終端が検知されると貼付フィルムシートの切出し位置を回収フィルムシート側に寄せていくと共に、切出し幅を小さくなるように制御する制御手段が設けられているフィルムシート貼付け装置。【選択図】図１
2015128856.tif 000002
【特許請求の範囲】
【請求項１】
カレンダーロールに巻付けられたゴム材料から、貼付フィルムシートと回収フィルムシートとを切出す切出し手段と、
切出された前記貼付フィルムシートおよび前記回収フィルムシートを分離ローラーまで搬送して、それぞれのフィルムシートの搬送方向を分離させるフィルムシート搬送手段と、
前記分離ローラーを通過した前記貼付フィルムシートを、ライン搬送されてきたゴム材料に貼付けてゴム部材を形成させる貼付け手段と、
前記分離ローラーを通過した前記回収フィルムシートを、前記カレンダーロールまで搬送して回収する回収手段と
を備えたフィルムシート貼付け装置であって、
前記フィルムシート搬送手段において、前記分離ローラーまでの搬送距離が、前記貼付フィルムシートに比べて前記回収フィルムシートの方が長くなるように設定されており、
さらに、ライン搬送される前記ゴム材料の終端が検知されると、前記切出し手段が前記貼付フィルムシートの切出し位置を前記回収フィルムシート側に寄せていくと共に、切出し幅が小さくなるように、前記切出し手段を制御する制御手段が設けられている
ことを特徴とするフィルムシート貼付け装置。
【請求項２】
前記カレンダーロールから前記分離ローラーまでの間に、前記回収フィルムシートを架け渡すフリーローラーが設けられて、前記回収フィルムシートの搬送距離が前記貼付フィルムシートの搬送距離に比べて長くなるように構成されていることを特徴とする請求項１に記載のフィルムシート貼付け装置。
【請求項３】
請求項１または請求項２に記載のフィルムシート貼付け装置を用いたフィルムシート回収方法であって、
ライン搬送される前記ゴム材料の終端を検知すると、前記制御手段により、前記切出し手段における前記貼付フィルムシートの切出し位置を前記回収フィルムシート側に寄せると共に、切出し幅を小さくするフィルムシート切出し幅変更工程と、
前記貼付フィルムシートに比べて長い搬送距離を前記分離ローラーまで搬送されてきた前記回収フィルムシートの側縁部と、切出し幅が小さくされて前記分離ローラーまで搬送されてきた前記貼付フィルムシートの側縁部とを接触させることにより密着させた後、前記カレンダーロールまで搬送して、前記貼付フィルムシートおよび前記回収フィルムシートを回収する回収工程と
を有していることを特徴とするフィルムシート回収方法。
【発明の詳細な説明】
【技術分野】
【０００１】
本発明は、フィルムシート貼付け装置および前記フィルムシート貼付け装置を用いたフィルムシート回収方法に関する。
【背景技術】
【０００２】
空気入りタイヤの成形に際しては、種々の帯状ゴム部材が使用されている。この内、インナーライナーなど複数種類のゴム材料が積層されて形成される帯状ゴム部材は、一般に、カレンダーロールにより圧延された後、カレンダーロール表面に巻付けられたゴム材料から切出されたフィルムシートを、他のゴム材料と貼付けることにより形成される（例えば、特許文献１）。
【０００３】
図４は、この時使用されるフィルムシート貼付け装置の構成を模式的に示した側面図である。図４に示すように、所定の配合で混練りされたゴム材料Ｇは、上側カレンダーロール１ａと下側カレンダーロール１ｂとから構成されるカレンダー１により圧延された後、上側カレンダーロール１ａの表面に巻付けられる。
【０００４】
上側カレンダーロール１ａの表面に巻付けられたゴム材料Ｇは、図示しない切出し手段によって、上側カレンダーロール１ａの表面から貼付フィルムシートＳ１と回収フィルムシートＳ２とに切出される。切出された貼付フィルムシートＳ１と回収フィルムシートＳ２は、分離ローラー３６まで並行して搬送された後、それぞれの搬送方向が変更される。
【０００５】
具体的には、貼付フィルムシートＳ１は、分離ローラー３６から貼付ローラー２まで搬送された後、貼付ローラー２によりラインを搬送されてくる貼付け対象のゴム材料Ｘに押圧されて貼付けられることにより帯状ゴム部材に加工される。一方、回収フィルムシートＳ２は、分離ローラー３６からフリーローラー３１を経由してカレンダー１まで搬送されることにより回収されて、再び圧延される。
【先行技術文献】
【特許文献】
【０００６】
【特許文献１】特開２０１０−０１３６４６号公報
【発明の概要】
【発明が解決しようとする課題】
【０００７】
しかしながら、従来のフィルムシート貼付け装置の場合、貼付け対象のゴム材料Ｘの交換（材料替え）が発生すると、その都度、貼付フィルムシートＳ１を切断する必要がある。このため、貼付フィルムシートＳ１に係っていた張力が開放されて、貼付フィルムシートＳ１が上側カレンダーロール１ａに巻付いてしまう。このように貼付フィルムシートＳ１が上側カレンダーロール１ａに巻付いてしまうと、次回使用時には、再度、カレンダー１から切出す必要があり、貼付けを再開するまでに時間が掛かる。
【０００８】
また、フィルムシートをカレンダーロールから切出して貼付け対象のゴム材料に貼付ける場合、このゴム材料を充分に覆って貼付ける必要があるが、材料替えに伴う切出しから貼付けまでに時間が掛かると、貼付け精度が低下して、貼付フィルムシートで覆うべき部分が露出してしまい、不具合なゴム部材が形成される恐れがある。
【０００９】
このため、材料替え時に再度の切出しが不要になり、貼付け時間の短縮および貼付け精度の向上を図ることができるフィルムシート貼付け装置および前記フィルムシート貼付け装置を用いたフィルムシート回収方法が望まれていた。
【課題を解決するための手段】
【００１０】
本発明者は、上記課題を解決するため鋭意検討を行った結果、以下に記載する発明により上記課題が解決できることを見出し、本発明を完成させるに至った。
【００１１】
請求項１に記載の発明は、
カレンダーロールに巻付けられたゴム材料から、貼付フィルムシートと回収フィルムシートとを切出す切出し手段と、
切出された前記貼付フィルムシートおよび前記回収フィルムシートを分離ローラーまで搬送して、それぞれのフィルムシートの搬送方向を分離させるフィルムシート搬送手段と、
前記分離ローラーを通過した前記貼付フィルムシートを、ライン搬送されてきたゴム材料に貼付けてゴム部材を形成させる貼付け手段と、
前記分離ローラーを通過した前記回収フィルムシートを、前記カレンダーロールまで搬送して回収する回収手段と
を備えたフィルムシート貼付け装置であって、
前記フィルムシート搬送手段において、前記分離ローラーまでの搬送距離が、前記貼付フィルムシートに比べて前記回収フィルムシートの方が長くなるように設定されており、
さらに、ライン搬送される前記ゴム材料の終端が検知されると、前記切出し手段が前記貼付フィルムシートの切出し位置を前記回収フィルムシート側に寄せていくと共に、切出し幅が小さくなるように、前記切出し手段を制御する制御手段が設けられている
ことを特徴とするフィルムシート貼付け装置である。
【００１２】
請求項２に記載の発明は、
前記カレンダーロールから前記分離ローラーまでの間に、前記回収フィルムシートを架け渡すフリーローラーが設けられて、前記回収フィルムシートの搬送距離が前記貼付フィルムシートの搬送距離に比べて長くなるように構成されていることを特徴とする請求項１に記載のフィルムシート貼付け装置である。
【００１３】
請求項３に記載の発明は、
請求項１または請求項２に記載のフィルムシート貼付け装置を用いたフィルムシート回収方法であって、
ライン搬送される前記ゴム材料の終端を検知すると、前記制御手段により、前記切出し手段における前記貼付フィルムシートの切出し位置を前記回収フィルムシート側に寄せると共に、切出し幅を小さくするフィルムシート切出し幅変更工程と、
前記貼付フィルムシートに比べて長い搬送距離を前記分離ローラーまで搬送されてきた前記回収フィルムシートの側縁部と、切出し幅が小さくされて前記分離ローラーまで搬送されてきた前記貼付フィルムシートの側縁部とを接触させることにより密着させた後、前記カレンダーロールまで搬送して、前記貼付フィルムシートおよび前記回収フィルムシートを回収する回収工程と
を有していることを特徴とするフィルムシート回収方法である。
【発明の効果】
【００１４】
本発明によれば、材料替え時に再度の切出しが不要になり、貼付け時間の短縮および貼付け精度の向上を図ることができるフィルムシート貼付け装置および前記フィルムシート貼付け装置を用いたフィルムシート回収方法を提供することができる。
【図面の簡単な説明】
【００１５】
【図１】本発明の実施の形態に係るフィルムシート貼付け装置の構成を模式的に示す斜視図である。
【図２】本発明の実施の形態に係るフィルムシート貼付け装置の構成を模式的に示す側面図である。
【図３】本発明の実施の形態に係るフィルムシート貼付け装置の構成を模式的に示す正面図である。
【図４】従来のフィルムシート貼付け装置の構成を模式的に示す側面図である。
【発明を実施するための形態】
【００１６】
以下、本発明を実施の形態に基づき、図面を用いて説明する。
【００１７】
図１は本実施の形態に係るフィルムシート貼付け装置を示す斜視図、図２は側面図、図３は正面図である。
【００１８】
１．フィルムシート貼付け装置
本実施の形態に係るフィルムシート貼付け装置は、フィルムシートを切出す切出し手段と、切出されたフィルムシートを搬送するフィルムシート搬送手段と、貼付け手段と、回収手段と、制御手段とを備えている。
【００１９】
（１）切出し手段
図１〜図３に示すように、本実施の形態に係るフィルムシート貼付け装置は、上側カレンダーロール１ａと下側カレンダーロール１ｂとから構成されるカレンダー１を有しており、所定の配合で混練りされたゴム材料Ｇは、カレンダー１により圧延された後、上側カレンダーロール１ａの表面に、例えば、０．５ｍｍ厚みで巻付けられる。
【００２０】
切出し手段は、従来と同様に、上側カレンダーロール１ａの表面から貼付フィルムシートＳ１と回収フィルムシートＳ２とを切出す。
【００２１】
具体的には、切出し手段は、貼付フィルムシートＳ１を切出す一対のナイフＡ、Ｂと、回収フィルムシートＳ２を切出す一対のナイフＣ、Ｄを備えている。それぞれのナイフは、上側カレンダーロール１ａの幅方向に移動可能に取り付けられている。
【００２２】
（２）フィルムシート搬送手段
フィルムシート搬送手段は、切出された貼付フィルムシートＳ１および回収フィルムシートＳ２のそれぞれを、貼付フィルムシートＳ１と回収フィルムシートＳ２の搬送方向を分離させる分離ローラー３６まで搬送する。
【００２３】
本実施の形態に係るフィルムシートの貼付け装置は、フィルムシート搬送手段が、貼付フィルムシートＳ１が分離ローラー３６まで搬送される搬送距離に比べて、回収フィルムシートＳ２が分離ローラー３６まで搬送される搬送距離が長くなるように構成されている点で従来のフィルムシートの貼付け装置と異なる。
【００２４】
具体的には、カレンダー１から分離ローラー３６までの間には、従来のフリーローラー３２、３４に加えて、フリーローラー３２、３４よりも上方に、フリーローラー３３が設けられている。
【００２５】
貼付フィルムシートＳ１は、従来と同様に、フリーローラー３２、３４を経由して、分離ローラー３６まで搬送される。
【００２６】
一方、回収フィルムシートＳ２は、従来と異なり、本実施の形態において設けられたフリーローラー３３を経由して、分離ローラー３６まで搬送される。
【００２７】
このように、貼付フィルムシートＳ１の搬送経路と回収フィルムシートＳ２の搬送経路とを分離することにより、それぞれのフィルムシートの分離ローラー３６までの搬送距離を異なるものにすることができ、回収フィルムシートＳ２をフリーローラー３３に架け渡すことにより、回収フィルムシートＳ２の搬送距離を貼付フィルムシートＳ１の搬送距離に比べて長くすることができる。
【００２８】
これにより、分離ローラー３６まで搬送されてきた貼付フィルムシートＳ１と回収フィルムシートＳ２とは、従来と異なり、同期して搬送されることがなくなり、分離ローラー３６において、貼付フィルムシートＳ１が、より早い段階で切出された回収フィルムシートＳ２と出会う。
【００２９】
なお、フリーローラー３３を設ける位置については、上記した搬送距離の差をどの程度とするかに応じて適宜設定される。
【００３０】
（３）貼付け手段
貼付け手段は、従来と同様に、貼付ローラー２を備えており、分離ローラー３６まで搬送された貼付フィルムシートＳ１を、ラインを搬送されてくる貼付け対象のゴム材料Ｘに押圧して貼付けて、帯状ゴム部材に加工する。
【００３１】
（４）回収手段
回収手段は、２つのフリーローラー３５、３１から構成されており、分離ローラー３６まで搬送された回収フィルムシートＳ２を、分離ローラー３６からカレンダー１まで搬送して回収する。なお、分離ローラー３６からフリーローラー３１に向けて回収フィルムシートＳ２を掛け回しても、前記したフリーローラー３３と接触しないような場合には、フリーローラー３５を設けなくてもよい。
【００３２】
（５）制御手段
本実施の形態の形態に係るフィルムシートの貼付け装置は、さらに、上記の切出し手段を制御する制御手段（図示せず）を備えている。
【００３３】
制御手段は、ライン搬送されるゴム材料Ｘの終端を検知するセンサなどの検知手段（図示せず）と接続されており、検知手段がゴム材料Ｘの終端を検知した場合、その情報が制御手段に送られるように構成されている。
【００３４】
情報を受け取った制御手段は、切出し手段において切出される各フィルムシートの幅を調整するように、ナイフＡ、Ｂ、Ｃを、上側カレンダーロール１ａの幅方向に沿って図３上、右方向に移動させると共に、隣り合う２本のナイフの間隔を縮める。
【００３５】
これにより、貼付フィルムシートＳ１は、切出し幅が狭くなりながら回収フィルムシートＳ２側に寄っていき、貼付フィルムシートＳ１がナイフＣの移動前における回収フィルムシートＳ２の切出し位置に近い位置で切出される。
【００３６】
そして、ナイフＢの位置が移動前のナイフＣの位置よりも右側にまで移動すると、この位置で切出された貼付フィルムシートＳ１は、分離ローラー３６において、より早い段階で切出された回収フィルムシートＳ２と出会って、それぞれの側縁部が接触して密着するようになる。
【００３７】
２．フィルムシートの貼付けおよび回収方法
次に、上記のフィルムシート貼付け装置を用いたフィルムシートの貼付けおよび回収方法について説明する。
【００３８】
貼付フィルムシートＳ１の貼付け対象のゴム材料Ｘへの貼付けは、基本的に、従来と同様に行う。即ち、前記したように、ナイフＡ、Ｂによって、所定の幅に切出した貼付フィルムシートＳ１を、フリーローラー３２、３４の上側面および分離ローラー３６の下側面を経由して搬送した後、貼付ローラー２によって貼付け対象のゴム材料Ｘに押圧して貼付けることにより帯状ゴム部材に加工する。
【００３９】
一方、ナイフＣによって切出された回収フィルムシートＳ２は、フリーローラー３３の上側面および分離ローラー３６の下側面を経由し、フリーローラー３５、３１によってカレンダー１まで搬送して回収する。回収されたフィルムシートは、カレンダーロール１ａ、１ｂによって再び圧延される。
【００４０】
このとき、検知手段がゴム材料Ｘの終端を検知すると、その情報を制御手段に送る。制御手段は、情報を受け取ると、ナイフＡ、Ｂ、Ｃを右方向へ移動させると共に、隣り合う２本のナイフの間隔を縮める（図３参照）。これにより、貼付フィルムシートＳ１は、切出し幅が狭くなりながら回収フィルムシートＳ２側に寄っていき、貼付フィルムシートＳ１がナイフＣの移動前における回収フィルムシートＳ２の切出し位置に近い位置で切出される。
【００４１】
そして、ナイフＢの位置が移動前のナイフＣの位置よりも右側にまで移動すると、この位置で切出された貼付フィルムシートＳ１は、分離ローラー３６まで搬送されて、より早い段階で切出された回収フィルムシートＳ２と出会って、それぞれのフィルムシートの側縁部が接触して密着する。
【００４２】
回収フィルムシートＳ２に密着した貼付フィルムシートＳ１は、その後、回収フィルムシートＳ２に引っ張られて、回収フィルムシートＳ２と共にフリーローラー３５、３１を経由してカレンダー１に自動的に回収される。
【００４３】
このとき、貼付フィルムシートＳ１が、順次、回収フィルムシートＳ２と共に回収されていく。このため、材料替えが発生した場合に、従来のように貼付フィルムシートＳ１を切断する必要がなく、貼付フィルムシートＳ１が上側カレンダーロール１ａに巻付くことを防止できる。
【００４４】
そして、カレンダー１まで回収された後は、次回の貼付けに応じた幅に、ナイフＡ、Ｂ、Ｃを設定して、待機させておくことができる。
【００４５】
この結果、材料替え時に再度の切出しが不要となって、貼付けを再開するまでに時間が掛からなくなるため、貼付け時間の短縮を図ることができる。また、貼付けまでに時間が掛かないため、貼付け精度の向上を図ることができる。
【実施例】
【００４６】
以下においては、上記の実施の形態に示したフィルムシート貼付け装置を用いて自動回収した場合（実施例）と、従来のフィルムシート貼付け装置を用いて人力による貼付け作業を行った場合（比較例）とにおける材料替えに際して、貼付けを再開するまでに要した時間（フィルムシート貼付け時間）と、その際に発生した貼付け不具合の長さを評価した。
【００４７】
具体的には、サイズＬ２４５／７５Ｒ１６のタイヤに用いられるゴム部材としてホワイトサイドウォールを作製するために、厚み０．５ｍｍのストリップ状ゴム材料を貼付フィルムシートとして幅９０ｍｍで切出し、ラインを搬送されてくる厚み７．５ｍｍ、幅１８５ｍｍのサイドウォール用ゴム材料に貼付けた。
【００４８】
評価結果を表１に示す。
【００４９】
【表１】
2015128856.tif 000003
【００５０】
実施例では、貼付フィルムシートの自動回収の失敗数が「０」であり、材料替えの際の貼付け再開作業が容易になることが確認された。
【００５１】
そして、表１より、実施例では、フィルムシート貼付け時間を短縮することができると共に、貼付け不具合長さも短くなることが分かる。
【００５２】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００５３】
１                カレンダー
１ａ              上側カレンダーロール
１ｂ              下側カレンダーロール
２                貼付ローラー
３１〜３５        フリーローラー
３６              分離ローラー
Ａ、Ｂ、Ｃ、Ｄ    ナイフ
Ｇ                混練りされたゴム材料
Ｓ１              貼付フィルムシート
Ｓ２              回収フィルムシート
Ｘ                貼付け対象のゴム材料
【図１】
2015128856.tif 000004
【図２】
2015128856.tif 000005
【図３】
2015128856.tif 000006
【図４】
2015128856.tif 000007